(57)【要約】【課題】  第１のコネクタの導電体（端子）と第２のコネクタの導電体（端子）がそれぞれ多数であっても、両コネクタが嵌合したとき、両導電体が確実に接触する磁石コネクタを提供する。【解決手段】  第１のコネクタ１のインシュレータ２には、１１個の永久磁石３と１１個の導電体４とが、それぞれ一対となって一定のピッチで１列に配設されている。各永久磁石と各導電体とは、インシュレータに対して所定の範囲内で個別に移動可能である。第２のコネクタ１１のインシュレータ１２には、１個の永久磁石１３と１１個の導電体１４とが、保持されている。各導電体１４は、一定のピッチで１列に永久磁石１３に配設されているが、永久磁石１３に対して絶縁されている。第１のコネクタと第２のコネクタとが嵌合すると、各導電体４と各導電体１４とは、接触する。【選択図】      図１
2004296426.tif 000002
【特許請求の範囲】
【請求項１】
磁力によって第１のコネクタと第２のコネクタとが接続される磁石コネクタにおいて、
前記第１のコネクタは、インシュレータと、前記インシュレータに保持される複数の磁性体と、前記インシュレータに保持される複数の導電体とを有し、
前記第２のコネクタは、インシュレータと、当該インシュレータに保持される単数又は複数の磁性体と、当該インシュレータに保持される複数の導電体とを有し、
前記第１のコネクタの各磁性体又は前記第２のコネクタの磁性体の少なくとも一方が磁石であり、かつ、少なくとも一方が他方の方向に個別に移動可能に保持され、
前記第１のコネクタの各導電体又は前記第２のコネクタの各導電体の少なくとも一方が他方の方向に個別に移動可能に保持され、
前記第１のコネクタと前記第２のコネクタとが嵌合する際、前記第１のコネクタの各磁性体と前記第２のコネクタの磁性体とが磁力により吸着され、前記第１のコネクタの各導電体と前記第２のコネクタの各導電体とが接触するように構成されることを特徴とする磁石コネクタ。
【請求項２】
前記第１のコネクタの各磁性体又は前記第２のコネクタの各磁性体の少なくとも一方は、前記第１のコネクタのインシュレータに設けられた各保持部内又は前記第２のコネクタのインシュレータに設けられた各保持部内で個別に移動可能であることを特徴とする請求項１記載の磁石コネクタ。
【請求項３】
前記各磁性体が前記各導電体を兼備することを特徴とする請求項１記載の磁石コネクタ。
【請求項４】
前記第１のコネクタにおいて、１個の前記各磁性体と１個の前記各導電体とが対向し、前記第２のコネクタにおいて、１個の前記各磁性体と１個の前記各導電体とが対向することを特徴とする請求項１記載の磁石コネクタ。
【請求項５】
前記第１のコネクタにおいて、１個の前記各磁性体と２個の前記各導電体とが対向し、前記第２のコネクタにおいて、１個の前記各磁性体と２個の前記各導電体とが対向することを特徴とする請求項１記載の磁石コネクタ。
【請求項６】
磁力によって第１のコネクタと第２のコネクタとが接続される磁石コネクタにおいて、
前記磁石コネクタは、一対の磁石と、前記一対の磁石の少なくとも三方を囲う包囲部材と、前記包囲部材に配設される導電体と、前記一対の磁石、前記包囲部材及び前記導電体を保持するインシュレータとから構成され、
前記一対の磁石は、前記包囲部材内で互いに反発し合うように配置されることを特徴とする磁石コネクタ。
【請求項７】
磁力によって第１のコネクタと第２のコネクタとが接続される磁石コネクタにおいて、
前記磁石コネクタは、一対の磁石と、前記一対の磁石の少なくとも三方を囲う導電体製包囲部材と、前記一対の磁石及び前記導電体製包囲部材を保持するインシュレータとから構成され、
前記一対の磁石は、前記導電体製包囲部材内で互いに反発し合うように配置されることを特徴とする磁石コネクタ。
【請求項８】
前記包囲部材又は前記導電体製包囲部材は弾性変形可能であることを特徴とする請求項６又は７記載の磁石コネクタ。
【請求項９】
磁力によって第１のコネクタと第２のコネクタとが接続される磁石コネクタにおいて、
前記磁石コネクタは、一対の磁石と、前記一対の磁石を囲う弾性変形可能な環状の磁石と、前記環状の磁石を囲う弾性変形可能な環状の導電体製包囲部材と、前記一対の磁石、前記環状の磁石及び前記導電体製包囲部材を保持するインシュレータとから構成され、
前記環状の磁石及び前記導電体製包囲部材は、前記一対の磁石の反発によって伸長することができることを特徴とする磁石コネクタ。
【発明の詳細な説明】
【技術分野】
【０００１】
本発明は、第１のコネクタの導電体（端子）と第２のコネクタの導電体（端子）とが磁石の吸着力又は反発力によって接続する磁石コネクタに関する。
【背景技術】
【０００２】
まず、第１の従来の磁石コネクタについて図３０を参照して説明する。
【０００３】
第１のコネクタ３１のインシュレータ３２（具体的には図示せず）には、１個の永久磁石３３と２個の導電体（端子）３４とが保持されている。ただし、各導電体３４と永久磁石３３とは、絶縁されている。
【０００４】
第２のコネクタ４１のインシュレータ４２（具体的には図示せず）には、１個の永久磁石４３と２個の導電体（端子）４４とが保持されている。ただし、各導電体４４と永久磁石４３とは、絶縁されている。
【０００５】
第１のコネクタ３１と第２のコネクタ４１とが嵌合すると、各導電体３４と各導電体４４とは接触する。
【０００６】
次に、第２の従来の磁石コネクタについて図３１を参照して説明する。
【０００７】
図３１（Ａ）に示されるように、第１のコネクタ３１のインシュレータ３２には、１個の永久磁石３３と１１個の導電体３４とが保持されている。各導電体３４は、一定のピッチで１列に配設されている。インシュレータ３２は、ＦＰＣ（Flexible Printed Circuit）等の弾性体である。
【０００８】
第２のコネクタ４１のインシュレータ４２（具体的には図示せず）には、１個の永久磁石４３と１１個の導電体４４とが保持されている。各導電体４４は、一定のピッチで１列に配設されている。ただし、各導電体４４と永久磁石４３とは、絶縁されている。
【０００９】
第１のコネクタ３１と第２のコネクタ４１とが嵌合すると、各導電体３４と各導電体４４とは接触する。
【００１０】
なお、図３１（Ａ）に示される磁石コネクタにおいては、各１個の永久磁石３３，４３を、図３１（Ｂ）に示されるように、各複数個の永久磁石３３，４３に設計変更することができる。なお、各永久磁石３３，４３の間には、絶縁性のスペーサ３２ａ，４２ａを挿入するか、又は、各永久磁石３３，４３を離間する。
【００１１】
なお、この種の磁石コネクタは、本出願前に頒布された刊行物にも記載されている（例えば、特許文献１及び特許文献２参照。）。
【特許文献１】特開平６−３４２６７９号公報（第３頁第４欄第９行−第４１行、図１）
【特許文献２】特開平７−６８１７号公報（第３頁第３欄第５行−第２０行、図１）
【発明の開示】
【発明が解決しようとする課題】
【００１２】
第１の従来の磁石コネクタにおいては、第１のコネクタ３１の導電体３４と第２のコネクタ４１の導電体４４は、それぞれ２個（少数）であるため、第１のコネクタ３１と第２のコネクタ４１とが嵌合したとき、各導電体３４と各導電体４４とが接触しないという欠点は、発生することが少ない。
【００１３】
しかし、第２の従来の磁石コネクタにおいては、第１のコネクタ３１の導電体３４と第２のコネクタ４１の導電体４４は、それぞれ１１個（多数）であり、また、各位置の不整合に基因して、第１のコネクタ３１と第２のコネクタ４１とが嵌合したとき、各導電体３４と各導電体４４とが接触しないという欠点は、発生し易い。
【００１４】
そこで、本発明は、前記両従来の磁石コネクタの欠点を改良し、第１のコネクタの導電体（端子）と第２のコネクタの導電体（端子）がそれぞれ多数であっても、第１のコネクタと第２のコネクタとが嵌合したとき、第１のコネクタの各導電体と第２のコネクタの各導電体とが確実に接触することができる磁石コネクタを提供しようとするものである。
【課題を解決するための手段】
【００１５】
本発明は、前記課題を解決するため、次の手段を採用する。
【００１６】
１．磁力によって第１のコネクタと第２のコネクタとが接続される磁石コネクタにおいて、前記第１のコネクタは、インシュレータと、前記インシュレータに保持される複数の磁性体と、前記インシュレータに保持される複数の導電体とを有し、前記第２のコネクタは、インシュレータと、当該インシュレータに保持される単数又は複数の磁性体と、当該インシュレータに保持される複数の導電体とを有し、前記第１のコネクタの各磁性体又は前記第２のコネクタの磁性体の少なくとも一方が磁石であり、かつ、少なくとも一方が他方の方向に個別に移動可能に保持され、前記第１のコネクタの各導電体又は前記第２のコネクタの各導電体の少なくとも一方が他方の方向に個別に移動可能に保持され、前記第１のコネクタと前記第２のコネクタとが嵌合する際、前記第１のコネクタの各磁性体と前記第２のコネクタの磁性体とが磁力により吸着され、前記第１のコネクタの各導電体と前記第２のコネクタの各導電体とが接触するように構成される磁石コネクタ。
【００１７】
２．前記第１のコネクタの各磁性体又は前記第２のコネクタの各磁性体の少なくとも一方は、前記第１のコネクタのインシュレータに設けられた各保持部内又は前記第２のコネクタのインシュレータに設けられた各保持部内で個別に移動可能である前記１記載の磁石コネクタ。
【００１８】
３．前記各磁性体が前記各導電体を兼備する前記１記載の磁石コネクタ。
【００１９】
４．前記第１のコネクタにおいて、１個の前記各磁性体と１個の前記各導電体とが対向し、前記第２のコネクタにおいて、１個の前記各磁性体と１個の前記各導電体とが対向する前記１記載の磁石コネクタ。
【００２０】
５．前記第１のコネクタにおいて、１個の前記各磁性体と２個の前記各導電体とが対向し、前記第２のコネクタにおいて、１個の前記各磁性体と２個の前記各導電体とが対向する前記１記載の磁石コネクタ。
【００２１】
６．磁力によって第１のコネクタと第２のコネクタとが接続される磁石コネクタにおいて、前記磁石コネクタは、一対の磁石と、前記一対の磁石の少なくとも三方を囲う包囲部材と、前記包囲部材に配設される導電体と、前記一対の磁石、前記包囲部材及び前記導電体を保持するインシュレータとから構成され、前記一対の磁石は、前記包囲部材内で互いに反発し合うように配置される磁石コネクタ。
【００２２】
７．磁力によって第１のコネクタと第２のコネクタとが接続される磁石コネクタにおいて、前記磁石コネクタは、一対の磁石と、前記一対の磁石の少なくとも三方を囲う導電体製包囲部材と、前記一対の磁石及び前記導電体製包囲部材を保持するインシュレータとから構成され、前記一対の磁石は、前記導電体製包囲部材内で互いに反発し合うように配置される磁石コネクタ。
【００２３】
８．前記包囲部材又は前記導電体製包囲部材は弾性変形可能である前記６又は７記載の磁石コネクタ。
【００２４】
９．磁力によって第１のコネクタと第２のコネクタとが接続される磁石コネクタにおいて、前記磁石コネクタは、一対の磁石と、前記一対の磁石を囲う弾性変形可能な環状の磁石と、前記環状の磁石を囲う弾性変形可能な環状の導電体製包囲部材と、前記一対の磁石、前記環状の磁石及び前記導電体製包囲部材を保持するインシュレータとから構成され、前記環状の磁石及び前記導電体製包囲部材は、前記一対の磁石の反発によって伸長することができる磁石コネクタ。
【発明の効果】
【００２５】
明細書の説明から明らかなように、本発明は、次の効果を奏する。
【００２６】
１．第１のコネクタの各磁性体又は第２のコネクタの磁性体の少なくとも一方が他方の方向に個別に移動可能に保持され、しかも、第１のコネクタの各導電体又は第２のコネクタの各導電体の少なくとも一方が他方の方向に個別に移動可能に保持されるので、多芯数の磁石コネクタであっても、第１のコネクタの各導電体と第２のコネクタの各導電体とは確実に接続する。
【００２７】
２．磁石コネクタは、導電体、包囲部材（又は導電体製包囲部材）、磁性体及びインシュレータとから構成されるので、簡素で、堅牢で、部品点数が少なく、コストが安価である。
【００２８】
３．隣接する磁石は、相互の反力によって排斥するので、各導電体のピッチ精度が、向上し、また、インシュレータの隔壁は、摩耗し難い。
【発明を実施するための最良の形態】
【００２９】
本発明の１８の実施例の磁石コネクタについて説明する。
【実施例１】
【００３０】
まず、本発明の実施例１について図１と図２を参照して説明する。
【００３１】
第１のコネクタ１のインシュレータ２（具体的には図示せず）には、１１個の永久磁石３と１１個の導電体（端子）４とが、それぞれ一対となって一定のピッチで１列に配設されている。各永久磁石３と各導電体４とは、インシュレータ２に対して所定の範囲内で個別に移動可能であり、各永久磁石３と各導電体４との間には、図１に示される状態では、隙間が存在する。
【００３２】
第２のコネクタ１１のインシュレータ１２（具体的には図示せず）には、１個の永久磁石１３と１１個の導電体（端子）１４とが、保持されている。各導電体１４は、一定のピッチで１列に永久磁石１３に配設されているが、永久磁石１３に対して絶縁されている。
【００３３】
各永久磁石３と永久磁石１３の各ＮＳ極は、第１のコネクタ１と第２のコネクタ１１とが嵌合離脱する方向に配置されている。
【００３４】
第１のコネクタと第２のコネクタ１１とが嵌合すると、図２に示される状態に至る。この状態では、各導電体４と各導電体１４とは、接触する。なお、各導電体４は、各永久磁石３に対して絶縁されている。
【実施例２】
【００３５】
次に、本発明の実施例２について図３を参照して説明する。実施例２以下の説明については、記述の実施例と同様な点の説明を省略し、相違する点のみの説明を行う。
【００３６】
第１のコネクタ１の各導電体４と各永久磁石３との隙間にバラツキがある。この場合も、第１のコネクタ１と第２のコネクタ１１とが嵌合すると、図２に示される状態に至る。
【実施例３】
【００３７】
続いて、本発明の実施例３について図４を参照して説明する。
【００３８】
第１のコネクタ１の各導電体４と各永久磁石３との間に隙間が存在しない。この場合も、コネクタ１と第２のコネクタ１１とが嵌合すると、図２に示される状態に至る。
【実施例４】
【００３９】
更に、本発明の実施例４について図５と図６を参照して説明する。
【００４０】
第１のコネクタ１の各導電体４と各磁石３との間、及び、第２のコネクタ１１の各導電体１４と各磁石１３との間に隙間が存在する。この場合は、第１のコネクタ１と第２のコネクタ１１とが嵌合すると、図６に示される状態に至る。
【実施例５】
【００４１】
更に、本発明の実施例５について図７を参照して説明する。
【００４２】
第１のコネクタ１の６個の永久磁石３に、それぞれ２個の導電体４が隙間なく対向する。また、第２のコネクタ１１の６個の永久磁石１３に、それぞれ２個の導電体１４が隙間なく対向する。ただし、各導電体４，１４は、各永久磁石３，１３に対して絶縁されている。この場合は、第１のコネクタ１と第２のコネクタ１１とが嵌合すると、図６に示される状態と同様の状態に至る。
【実施例６】
【００４３】
更に、本発明の実施例６について図８と図９を参照して説明する。
【００４４】
実施例６は、実施例５と対比して、各永久磁石３，１３の方向が９０゜相違し、その他は同様である。この場合は、第１のコネクタ１と第２のコネクタ１１とが嵌合すると、図９に示される状態に至る。
【実施例７】
【００４５】
更に、本発明の実施例７について図１０と図１１を参照して説明する。
【００４６】
第１のコネクタ１の８個の永久磁石３は、それぞれ導電体を兼備する。また、第２のコネクタ１１の８個の永久磁石１３も、それぞれ導電体を兼備する。この場合、第１のコネクタ１と第２のコネクタ１１とが嵌合すると、図１１に示される状態に至る。
【実施例８】
【００４７】
更に、本発明の実施例８について図１２と図１３を参照して説明する。
【００４８】
実施例８は、実施例７と対比して、６個の永久磁石３，１３の方向が９０゜相違し、その他は同様である。この場合は、第１のコネクタ１と第２のコネクタ１１とが嵌合すると、図１３に示される状態に至る。
【実施例９】
【００４９】
更に、本発明の実施例９について図１４を参照して説明する。
【００５０】
実施例６において、インシュレータ２に複数の隔壁２ａを形成し、各隔壁２ａを隣接する永久磁石３，３の同極の間に挿入する。すると、隣接する永久磁石３，３は、相互の反力によって排斥するので、隔壁２ａに接触せずにピッチ間で浮遊する。
【００５１】
更に、本発明の以上の諸実施例の組合せの変更が可能であることを、図１５を参照して説明する。
【００５２】
図１５（Ａ）は、インシュレータ２の一部がＦＰＣ等の絶縁性弾性体２ｂである第１のコネクタ１の斜視図であり、Ａ面の断面図が、図１５（Ｅ）に示される。絶縁性弾性体２ｂには、複数の導電体４が一定のピッチで埋設され、絶縁性弾性体２ｂの上面には、第１の薄膜状インシュレータ２ｃが敷設される。薄膜状インシュレータ２ｃの上面には、ブロック状インシュレータ２ｄが載置され、ブロック状インシュレータ２ｄは、第２の薄膜状インシュレータ２ｅによって被覆される。ブロック状インシュレータ２ｄには、複数の保持部２ｄ１が設けられ、各保持部２ｄ１内には、永久磁石３が上下左右前後の三次元方向に移動可能に収容されている。
【００５３】
図１５（Ｂ）は、第２のコネクタ１１の斜視図であり、インシュレータであるＦＰＣ等の絶縁性弾性体１２の上面には、複数の導電体１４が一定のピッチで埋設され、絶縁性弾性体１２の下面には、１個の永久磁石１３が保持されている。
【００５４】
図１５（Ｃ）は、他種の第１のコネクタ１の斜視図であり、インシュレータ２の先端には、数本の導電体４が突設されている。図示されていないが、実際には、インシュレータ２の上側には、図１５（Ａ）と同様に、複数の永久磁石が配設されている。
【００５５】
図１５（Ｄ）は、他種の第２のコネクタ１１の斜視図であり、インシュレータ１２の先端には、数本の導電体１４が突設されている。図示されていないが、実際には、インシュレータ１２の下側には、図１５（Ｂ）と同様に、１個の永久磁石が保持されている。
【００５６】
図１５（Ａ）に示される第１のコネクタ１は、図１５（Ｂ）に示される第２のコネクタ１１又は図１５（Ｄ）に示される第２のコネクタ１１と嵌合することができる。また、図１５（Ｃ）に示される第１のコネクタ１は、図１５（Ｂ）に示される第２のコネクタ１１又は図１５（Ｄ）に示される第２のコネクタ１１と嵌合することができる。
【実施例１０】
【００５７】
更に、本発明の実施例１０について図１６と図１７を参照して説明する。
【００５８】
第１のコネクタ１の各永久磁石３の外側と第２のコネクタ１１の各永久磁石１３の外側とに、それぞれ導電体４，１４が配設される。各永久磁石３，１３と各導電体４，１４の間には、隙間Ｃが存在する。第１のコネクタ１の各導電体４は基板６の各導電体７と対向し、第２のコネクタ１１の各導電体１４は基板１６の各導電体１７と対向する。
【００５９】
第１のコネクタ１と第２のコネクタ１１が嵌合すると、各永久磁石３と各永久磁石１３の間に反発力が図１７に示される矢印方向に生じ、各導電体４が各導電体７と接触し、各導電体１４が各導電体１７と接触する。
【００６０】
したがって、基板６と基板１６は接続される。基板６と基板１６が、それぞれＦＰＣであっても、同様である。接続する電気回路については、図２６−図２９を参照して後述する。
【実施例１１】
【００６１】
更に、本発明の実施例１１について図１８と図１９を参照して説明する。
【００６２】
実施例１１は、実施例１０と対比して、各永久磁石３，１３と各導電体４，１４の間には、隙間が存在しない点で相違し、その他の点では同様である。
【実施例１２】
【００６３】
更に、本発明の実施例１２について図２０と図２１を参照して説明する。
【００６４】
実施例１２は、実施例１１と対比して、各永久磁石３，１３の方向が９０゜相違し、その他は同様である。この場合は、第１のコネクタ１と第２のコネクタ１１とが嵌合すると、図２１に示される状態に至る。
【実施例１３】
【００６５】
更に、本発明の実施例１３について図２２と図２３を参照して説明する。
【００６６】
第１のコネクタ１の８個の永久磁石３は、それぞれ導電体を兼備する。また、第２のコネクタ１１の８個の永久磁石１３も、それぞれ導電体を兼備する。この場合、第１のコネクタ１と第２のコネクタ１１とが嵌合すると、図２３に示される状態に至る。
【実施例１４】
【００６７】
更に、本発明の実施例１４について図２４と図２５を参照して説明する。
【００６８】
実施例８は、実施例１３と対比して、６個の永久磁石３，１３の方向が９０゜相違し、その他は同様である。この場合は、第１のコネクタ１と第２のコネクタ１１とが嵌合すると、図２５に示される状態に至る。
【実施例１５】
【００６９】
更に、本発明の実施例１５について図２６を参照して説明する。
【００７０】
第１のコネクタの各永久磁石３と第２のコネクタの各永久磁石１３とを、枠型に形成される弾性変形可能な各導電体製包囲部材８内に互いに反発するようにそれぞれ配置する。第１のコネクタと第２のコネクタとが嵌合すると、各導電体製包囲部材８が伸長して、その上下両側が一方の基板等の導電体と他方の基板等の導電体にそれぞれ接触する。
【００７１】
各導電体製包囲部材８の構成は、全体が導電体又は外周のみが導電体でその他は絶縁体のいずれでもよい。
【実施例１６】
【００７２】
更に、本発明の実施例１６について図２７を参照して説明する。
【００７３】
第１のコネクタの各永久磁石３と第２のコネクタの各永久磁石１３とを、三方を囲まれる弾性変形可能な各導電体製包囲部材８内に互いに反発するようにそれぞれ配置する。第１のコネクタと第２のコネクタとが嵌合すると、各導電体製包囲部材８が伸長して、その上下両側が基板６の各導電体７と基板１６の各導電体１７にそれぞれ接触する。
【実施例１７】
【００７４】
更に、本発明の実施例１７について図２８を参照して説明する。
【００７５】
第１のコネクタの各永久磁石３と第２のコネクタの各永久磁石１３とを、枠型のインシュレータ製包囲部材９内に互いに反発するようにそれぞれ配置する。インシュレータ製包囲部材９の内側に導電体（図示せず）が形成されている。第１のコネクタと第２のコネクタとが嵌合すると、第１のコネクタの各永久磁石３と第２のコネクタの各永久磁石１３は、それぞれインシュレータ製包囲部材９の上下両側の各開口から突出し、一方の基板等の各導電体と他方の基板等の各導電体に接触する。
【実施例１８】
【００７６】
更に、本発明の実施例１８について図２９を参照して説明する。
【００７７】
各永久磁石１０は、外側のＮ極と内側のＳ極からトラック状に形成される。各永久磁石１０は、磁性粉末がゴムに混入されること等によって弾性変形可能に構成され、弾性変形可能なトラック状の各導電体製包囲部材８に囲まれる。
【００７８】
第１のコネクタと第２のコネクタとが嵌合すると、各永久磁石１０の内側に配置されている各一対の永久磁石（図示せず）の反発によって、各永久磁石１０と各導電体製包囲部材８が伸長して、各導電体製包囲部材８の上下両側が基板６の各導電体７と基板１６の各導電体１７にそれぞれ接触する。
【００７９】
本発明の各実施例において、各永久磁石３又は各永久磁石１３の一方を強磁性体又は常磁性体等の磁性体に設計変更することができる。また、本発明の各実施例において、各永久磁石３又は各永久磁石１３を電磁石に設計変更することができる。
【図面の簡単な説明】
【００８０】
【図１】本発明の実施例１の磁石コネクタの模式的正面図であり、嵌合前の状態を示す。
【図２】同磁石コネクタの模式的正面図であり、嵌合後の状態を示す。
【図３】本発明の実施例２の磁石コネクタの模式的正面図であり、嵌合前の状態を示す。
【図４】本発明の実施例３の磁石コネクタの模式的正面図であり、嵌合前の状態を示す。
【図５】本発明の実施例４の磁石コネクタの模式的正面図であり、嵌合前の状態を示す。
【図６】同磁石コネクタの模式的正面図であり、嵌合後の状態を示す。
【図７】本発明の実施例５の磁石コネクタの模式的正面図であり、嵌合前の状態を示す。
【図８】本発明の実施例６の磁石コネクタの模式的正面図であり、嵌合前の状態を示す。
【図９】同磁石コネクタの模式的正面図であり、嵌合後の状態を示す。
【図１０】本発明の実施例７の磁石コネクタの模式的正面図であり、嵌合前の状態を示す。
【図１１】同磁石コネクタの模式的正面図であり、嵌合後の状態を示す。
【図１２】本発明の実施例８の磁石コネクタの模式的正面図であり、嵌合前の状態を示す。
【図１３】同磁石コネクタの模式的正面図であり、嵌合後の状態を示す。
【図１４】本発明の実施例９の磁石コネクタにおける第１のコネクタの模式的正面図である。
【図１５】本発明の諸実施例の組合せの変更が可能であることを説明するための諸図を（Ａ）〜（Ｅ）に示す。
【図１６】本発明の実施例１０の磁石コネクタの模式的正面図であり、嵌合前の状態を示す。
【図１７】同磁石コネクタの模式的正面図であり、嵌合後の状態を示す。
【図１８】本発明の実施例１１の磁石コネクタの模式的正面図であり、嵌合前の状態を示す。
【図１９】同磁石コネクタの模式的正面図であり、嵌合後の状態を示す。
【図２０】本発明の実施例１２の磁石コネクタの模式的正面図であり、嵌合前の状態を示す。
【図２１】同磁石コネクタの模式的正面図であり、嵌合後の状態を示す。
【図２２】本発明の実施例１３の磁石コネクタの模式的正面図であり、嵌合前の状態を示す。
【図２３】同磁石コネクタの模式的正面図であり、嵌合後の状態を示す。
【図２４】本発明の実施例１４の磁石コネクタの模式的正面図であり、嵌合前の状態を示す。
【図２５】同磁石コネクタの模式的正面図であり、嵌合後の状態を示す。
【図２６】本発明の実施例１５の磁石コネクタの模式的正面図である。
【図２７】本発明の実施例１６の磁石コネクタの嵌合前の模式的正面図である。
【図２８】本発明の実施例１７の磁石コネクタの模式的斜視図である。
【図２９】本発明の実施例１８の磁石コネクタの嵌合前の模式的正面図である。
【図３０】第１の従来の磁石コネクタの模式的正面図であり、嵌合前の状態を示す。
【図３１】（Ａ）は、第２の従来の磁石コネクタの模式的正面図であり、嵌合前の状態を示し、（Ｂ）は、同磁石コネクタの一設計変更例を示す。
【符号の説明】
【００８１】
１    第１のコネクタ
２    インシュレータ
２ａ    隔壁
２ｂ    絶縁性弾性体
２ｃ    第１の薄膜状インシュレータ
２ｄ    ブロック状インシュレータ
２ｄ１    保持部
２ｅ    第２の薄膜状インシュレータ
３    永久磁石
４    導電体（端子）
６    基板、ＦＰＣ
７    導電体
８    導電体製包囲部材
９    インシュレータ製包囲部材
１０    永久磁石
１１    第２のコネクタ
１２    インシュレータ
１３    永久磁石
１４    導電体（端子）
１６    基板、ＦＰＣ
１７    導電体
【図１】
2004296426.tif 000003
【図２】
2004296426.tif 000004
【図３】
2004296426.tif 000005
【図４】
2004296426.tif 000006
【図５】
2004296426.tif 000007
【図６】
2004296426.tif 000008
【図７】
2004296426.tif 000009
【図８】
2004296426.tif 000010
【図９】
2004296426.tif 000011
【図１０】
2004296426.tif 000012
【図１１】
2004296426.tif 000013
【図１２】
2004296426.tif 000014
【図１３】
2004296426.tif 000015
【図１４】
2004296426.tif 000016
【図１５】
2004296426.tif 000017
【図１６】
2004296426.tif 000018
【図１７】
2004296426.tif 000019
【図１８】
2004296426.tif 000020
【図１９】
2004296426.tif 000021
【図２０】
2004296426.tif 000022
【図２１】
2004296426.tif 000023
【図２２】
2004296426.tif 000024
【図２３】
2004296426.tif 000025
【図２４】
2004296426.tif 000026
【図２５】
2004296426.tif 000027
【図２６】
2004296426.tif 000028
【図２７】
2004296426.tif 000029
【図２８】
2004296426.tif 000030
【図２９】
2004296426.tif 000031
【図３０】
2004296426.tif 000032
【図３１】
2004296426.tif 000033